(57)【要約】【課題】ＤＶＤプレーヤの互換性を高める際の価格その他の困難な問題が解決され、消費者がＣＤディスクからＤＶＤディスクに、簡単かつスムーズに移行可能となる光ディスクを提供する。【解決手段】本発明による光ディスクは、透明な接着層（３）によって互いに接着された２つの基本ディスク（Ｄ１，Ｄ２）からなる。ここで、第１の基本ディスク（Ｄ１）の情報表面（４ｂ）が、接着層（３）と接している半反射層（６ａ）でコーティングされており、第２の基本ディスク（Ｄ２）の情報表面（７ｂ）が、反射金属層（９）でコーティングされていて、接着層（３）とは反対側に置かれており、第２の基本ディスク（Ｄ２）が、接着層（３）に隣接しており半透明層（１２）でコーティングされた第２の情報表面（７ａ）を含んでいる。【選択図】図５
2008059750.tif 000002
【特許請求の範囲】
【請求項１】
互いに接着された２つの基本ディスク（Ｄ１，Ｄ２）からなり、それぞれの基本ディスクが、らせん状のトラック又は同心状のトラックに表面マイクロ変化（６，８）が分布しておりレーザビーム（５ａ，５ｂ）を使用して光学的に読み取られる様にされた情報表面（４ｂ，７ｂ）を有する１つの透明な基板（４，７）を少なくとも含む光ディスクであって、
第１の基本ディスク（Ｄ１）の情報表面（４ｂ）が、透明な接着層（３）と接している半反射層（６ａ）でコーティングされており、
第２の基本ディスク（Ｄ２）の情報表面（７ｂ）が、反射金属層（９）でコーティングされていて、前記接着層（３）とは反対側に置かれており、
前記第２の基本ディスク（Ｄ２）が、前記接着層（３）に隣接しており半透明層（１２）でコーティングされた第２の情報表面（７ａ）を含む
ことを特徴とする光ディスク。
【請求項２】
前記基本ディスク（Ｄ１，Ｄ２）の前記情報表面（４ｂ，７ｂ）が、２つの相互に異なる標準に基づき製造されることを特徴とする請求項１に記載の光ディスク。
【請求項３】
前記半反射層（６ａ）が、第１の閾値以上のレーザ波長に対して第１の所定値以上の透過率と、第２の閾値以下のレーザ波長に対して第２の所定値以上の反射率とを有しており、該第１の閾値が、少なくとも１００ｎｍだけ該第２の閾値よりも大きいことを特徴とする請求項１に記載の光ディスク。
【請求項４】
透過率に対する前記第１の所定値が９５％に等しく、反射率に対する前記第２の所定値が２５％に等しいことを特徴とする請求項３に記載の光ディスク。
【請求項５】
前記第１の基本ディスク（Ｄ１）の情報表面（４ｂ）が、ＤＶＤの標準に基づき製造されており、前記第２の基本ディスク（Ｄ２）の情報表面（７ｂ）が、ＣＤの標準に基づき製造されており、更に該基本ディスクのそれぞれの厚さが約０．６ｍｍであることを特徴とする請求項１から４のいずれか１項に記載の光ディスク。
【請求項６】
前記半透明層（１２）が、前記第２の閾値以下のレーザ波長に対して４５％以上の反射率と、前記第１の閾値以上のレーザ波長に対して９５％以上の透過率とを有することを特徴とする請求項１から５のいずれか１項に記載の光ディスク。
【請求項７】
前記第１の基本ディスク（Ｄ１）の半反射層（６ａ）及び／又は前記第２の基本ディスク（Ｄ２）の半透明層（１２）が、ポリジアセチレン又はコレステリックポリマーの薄い層の堆積を使用して製造されていることを特徴とする請求項１から６のいずれか１項に記載の光ディスク。
【請求項８】
第１の標準に基づく情報表面を形成するように透明な基板を押し付けることによって、第１の基本ディスク（Ｄ１）を作製し、該情報表面を半反射層でコーティングし、
第２の標準に基づく情報表面を形成するように透明な基板を押し付けることによって、第２の基本ディスク（Ｄ２）を作製し、該情報表面を反射金属層でコーディングし、その後保護層によって保護し、
前記２つの基本ディスクを互いに接着して、前記第１の基本ディスクの情報表面を透明な接着層に隣接させ、前記第２のディスクの情報表面を該接着層とは反対側に置き、
前記第２の基本ディスク（Ｄ２）を作製する際に、第２の情報表面を前記第１の標準に基づいた前記透明な基板の上に押し付け、第１の基本ディスク（Ｄ１）と接着する前に、該第２の情報表面を半透明な層でコーティングする
ことを特徴とする光ディスクの製造方法。
【発明の詳細な説明】
【技術分野】
【０００１】
本発明は接着された２つの基本ディスクからなる光ディスクで、それぞれの基本ディスクが少なくとも１つの透明な基板を含み、らせん状のトラック即ち同心状のトラックの上に分布された表面マイクロ変化（ｍｉｃｒｏ−ａｌｔｅｒａｔｉｏｎｓ）があり、レーザビームを使用して光学的に読み取る様にされた情報表面を該基板が有することを特徴とする光ディスクに関する。
【背景技術】
【０００２】
現在、新標準の高密度の光ディスクはＤＶＤ（デジタルビデオディスク）という名称で発明されている。特別に開発された技術により、この新しいタイプの光ディスクは情報表面当たり４．７ギガバイトを超える記憶容量を有することができ、これによりＭＰＥＧ２ビデオ標準に基づき圧縮された２時間を超えるデジタルビデオを記憶することができる。情報処理の分野におけるこの応用は高密度の光ディスクによっても可能である。
【０００３】
光ディスク上に記憶の密度を増やすことはコンパクトディスク（ＣＤ）技術と比較して、特にディスク上のマイクロ変化の大きさと、読み取りレーザの波長と、変調装置及び誤り訂正の方法に関して、技術上の改革が必要であった。このため、ＤＶＤディスクの読み取り装置は、以前は従来のコンパクトディスクの読み取り装置を使用することができなかった。
【０００４】
該コンパクトディスクは厚さが約１．２ｍｍであり、らせん状のトラックの上に分布されたマイクロピット、又はマイクロリッジの形のマイクロ変化がある情報表面を含んだ透明な基板から成っている。該情報表面は反射用金属層で覆われており、この層は次にディスクの内容を示すラベルが貼り付けられた外側の面に保護層で覆われている。該ＤＶＤディスクは２枚の基本ディスクから構成され、それぞれのディスクの厚さは約０．６ｍｍである。この２枚の基本ディスクはそれぞれの情報表面の側面がある場合その側面の上に高純度の接着層により裏面同士接着されており、これによりディスクの厚さは約１．２ｍｍに成っている。光学的な読み取りのために、レーザビームが通過する基板の厚さは、コンパクトディスク及びＤＶＤディスクの場合それぞれ１．２ｍｍと０．６ｍｍである。
【発明の開示】
【発明が解決しようとする課題】
【０００５】
コンパクトディスクではＥＦＭ変調と、ＣＩＲＣ誤り訂正符号と、λ＝７８０ｎｍの読み取り波長の技術を使用し、ＤＶＤでは８／１６変調と、ＲＳＰＣ誤り訂正符号とλ＝６５０ｎｍ又は６３５ｎｍの読み取り波長の技術を使用している。この様に、ＤＶＤディスクに対し特有に設計された読み取り装置はコンパクトディスクの読み取りに関して使用できない。ＤＶＤ読み取り装置がコンパクトディスクを読み取ることができる上位互換性を得るため、コンパクトディスクの読み取りに必要な電子装置とレーザ源はＤＶＤ読み取り装置内に含まれることが必要であり、これによりこの種の読み取り装置の価格が実質的に高くなる。更に、ＤＶＤ読み取り装置の上位互換性によりコンパクトディスクを読み取ることができるが、従来のコンパクトディスク読み取り装置はＤＶＤディスクを読み取る特別な電子装置とレーザを含んでいないので、あらゆる場合ＤＶＤディスクを読み取ることができない。
【０００６】
本発明の目的は、コンパクトディスクとＤＶＤディスクの読み取りに関し互換性のこの問題を解決し、簡単で経済的な解決策を提案することである。
【課題を解決するための手段】
【０００７】
本発明に基づく光ディスクは接着により組み立てられた２枚の基本ディスクから構成され、それぞれの基本ディスクは少なくとも１つの情報表面を有する透明な基板を含んでおり、該情報表面にはらせん状のトラック又は同心状のトラックの上に分布された表面マイクロ変化があり、レーザビームを使用して読み取る様にされており、マイクロピット、マイクロリッジ及び／又は連続した溝の形態を取っている。第１の基本ディスクの情報表面は半反射層でコーティングされており、透明な接着層が隣接している。第２の基本ディスクの情報表面は反射金属層でコーティングされており、この接着層の反対側に置かれている。また、第２の基本ディスクが、この接着層に隣接しており半透明層（１２）でコーティングされた第２の情報表面（７ａ）を含む。保護層は第２のディスクの反射金属層を覆っており、ディスクに対するラベルを貼ることに役立っている。半反射層の透過率はレーザの波長が第１の閾値以上の場合、第１の所定の値以上であることが好ましい。更に、半反射層の反射率はレーザの波長が第２の閾値以下の場合、第２の所定の値以上であることが好ましい。第１の閾値は少なくとも１００ｎｍだけ第２の閾値より大きいことが好ましい。
【０００８】
好都合なことに、第１の基本ディスクの情報表面と第２の基本ディスクの情報表面は例えばＤＶＤとＣＤの様に２つの異なる標準に適合する。
【０００９】
透過率に対する第１の所定の値は９５％であることが好ましい。反射率に対する第２の所定の値は２５％であることが好ましい。ＣＤとＤＶＤの両方に使用できる構造の光ディスクを応用するためには、使用される波長は第１の閾値に対しては７８０ｎｍのオーダーであり、第２の閾値に対しては６５０ｎｍのオーダーである。該ディスクの全体の厚さは１．２ｍｍである。
【００１０】
第２の基本ディスクの第２の情報表面は組み立てられる接着層に隣接しており、反射金属層の反対側の面に作られている。第２の情報表面は半透明の層でコーティングされている。この層はレーザの波長に対する第１の基本ディスクの半反射層と特性が同じで、半反射層及び反射層の通常の読み取りを失敗することがない。
【発明の効果】
【００１１】
本発明はコンパクトディスクとＤＶＤディスクの利点を組み合わせた新規の種類の光ディスクを提案し、コンパクトディスク読み取り装置とＤＶＤ読み取り装置とにより等しく読み取ることができる。本発明は更にこの新規な種類の光ディスクを製造する方法も提供する。
【発明を実施するための最良の形態】
【００１２】
本発明は記載の例に限定されない例と添付の図に示してある幾つかの実施態様の詳細な説明により理解が明確になる。
【００１３】
図１に示す様に、本発明の光ディスクは２枚の基本ディスクＤ１とＤ２から構成され、これらのディスクは透明な接着層３を使用して互いに組み立てられている。以下には、本発明の理解を容易にするためＣＤとＤＶＤ標準について記載しているが、これは光ディスクの他の応用又は他の標準に関していかなる制限もつけない。ディスクをＣＤとＤＶＤの標準に適合させるための特別な応用では、２枚の基本ディスクＤ１とＤ２はそれぞれ約０．６ｍｍの厚さを有している。光ディスクの直径は８ｃｍ又は１２ｃｍである。このディスクの全体の厚さは約１．２ｍｍである。
【００１４】
図２は本発明の第１の実施態様に基づくディスクの構造を図的に示している。第１の基本ディスクＤ１と第２の基本ディスクＤ２は透明な接着層３により互いに組み立てられている。基本ディスクＤ１は厚さが約０．６ｍｍの透明な基板からなっている。透明な基板４の上側の面４ａは読み取り用レーザビーム５ａ又は５ｂを受ける。下側の表面４ｂ即ち基板４の情報表面にはマイクロピット又はマイクロリッジの形のマイクロ変化６を含み、半反射層６ａでコーティングされている。該マイクロ変化６はらせん状又は同心状のトラックの上に分布されている。同様に、第２の基本ディスクＤ２には透明な基板７が含まれ、その上側表面７ａは透明な接着層３を使用して第１の基本ディスクＤ１の情報表面４ｂに接着されている。透明な基板７の下側の面７ｂ即ち情報表面には反射金属層９でコーティングされた第２の一連のマイクロ変化８が含まれている。該反射金属層９は保護層１０で覆われており、その外側の面１０ａはディスクの内容に関する項目を示すラベル又は他の印刷物又は貼り物を貼るのに使用されている。第２の基本ディスクＤ２の厚さは約０．６ｍｍである。接着層３の厚さを小さくした場合、光ディスクの全体の厚さは約１．２ｍｍである。
【００１５】
ＤＶＤ標準に基づき製造され半反射層６ａでコーティングされた第１の基本ディスクＤ１の情報表面４ｂは波長がλ＝６５０ｎｍ又は６３５ｎｍのレーザビーム５ａにより光学的に読み取る様にされている。該レーザビーム５ａは透明な基板４の上側の面４ａを通り第１の基本ディスクＤ１に触れ、透明な基板４の厚さを通過し情報表面４ｂの上に集中する。レーザビーム５ａの一部は半反射層６ａにより反射され（図示していない）光検出器により光学的に読み取られ、（図示していない）読み取り装置により情報を発生する。レーザビーム５ａの他の部分は半反射層６ａを通過する。半反射層６ａによるレーザビームの吸収が無視できるならば、層６ａの透過率と反射率の和は１である。半反射層６ａを透過するレーザビーム５ａは透明な接着層３と透明な基板７を連続して通過し、反射金属層９でコーティングされた第２の基本ディスク２の情報表面７ｂにより反射される。レーザビーム５ａに対し（図示していない）読み取り装置の対物レンズにある値の口径があるので、レーザビーム５ａにより第２の基本ディスクの情報表面７ｂの上にできる光のスポットは比較的大きく集中していない。この様に、反射層９により反射される光ビームは情報表面７ａにより大きく回拆され、再び半反射層６ａを通過し、第１の基本ディスクの表面４ａを通りディスクから再び出る。半反射層６ａの光学的な読み取りに対するあらゆる妨害は従って最小になる。
【００１６】
波長が７８０ｎｍのレーザビーム５ｂはＣＤ標準に基づき作られた情報表面７ｂを読み取るため使用されている。この波長の場合、半反射層６ａは透過率が大きく、第２の基本ディスクＤ２の情報面７ｂを読み取るレーザビームのエネルギー損失が最小になる。レーザビーム５ｂは情報表面７ｂの上で集中し、反射金属層９により反射される。反射されたビームは再び半反射層６ａを通過し（図示していない）読み取り装置の対物レンズに向かって進む。半反射層６ａがあることにより情報表面７ｂの光学読み取りの性能を低下させないことは重要なことである。実際には、半反射層６ａは波長が６５０ｎｍ以下の時反射率が２５％以上であり、波長が７８０ｎｍ以上の時透過率が９５％以上である（図３を参照）。
【００１７】
図４は本発明に基づく光ディスクの製造過程を図示している。第１の基本ディスクＤ１と第２の基本ディスクＤ２は２つの平行の製造ラインで製造される。基本ディスクＤ１はＤＶＤの標準の金型を使用して透明な基板を押し付けることにより製造され、ＤＶＤ標準に基づく情報表面を含む厚さが約０．６ｍｍの基板の形を作る。半反射層はこの様に製造された情報の表面の上に堆積される。同様に、第２の基本ディスクＤ２は金型を使用して透明な基板を押し付けることにより得られ、厚さが約０．６ｍｍでＣＤ標準に基づく情報表面を有する基板の形を作る。この様に得られた情報層は次に反射金属層と保護層でコーティングされる。この様に得られた２つの基本ディスクＤ１とＤ２はほっそりした透明な接着層を使用して互いに組み立てられており、半反射層は該接着層に隣接しているが反射層は接着層がつく面と向かい合った面にある。この様に得られたディスクは深さが０．６ｍｍのＤＶＤの情報面と深さが約１．２ｍｍのＣＤの情報面を含んでいる。
【００１８】
図５には第２の基本ディスクＤ２の上に第２の情報面７ａを加えることが第１の実施態様と異なる第２のディスクの実施態様を示している。図５に基づくディスクはその他の全ての点で前に図２に関して記載したディスクと同じである。ここでは、同じ参照番号はディスクの同じエレメントを示すため再び使用している。第１の実施態様に対しこの第２の実施態様が異なるのは以下に記載することのみである。
【００１９】
第２の情報表面７ａは透明な接着層３と隣り合っている透明な基板７の面の上に作られ、第２の基本ディスクＤ２の情報表面７ｂと向かい合っている。第２の情報表面７ａは更に第１の基本ディスクＤ１の情報の表面４ｂと同様にマイクロ変化１１を含んでいるが、これは第２の基本ディスクＤ２の情報表面７ｂがＣＤの標準に基づき読み取られる様にされているのと対照的に該マイクロ変化１１がＤＶＤ標準に基づき読み取られる様にされていることを意味している。第２の情報表面７ａは半透明層１２でコーティングされている。この層１２は７８０ｎｍの波長に対し実質的に透明であり、６５０ｎｍ以下の波長に関しては反射率が４５％以上である。読み取り装置の光検出器（図示していない）に到達する光ビームのエネルギーが入射レーザビーム５ｃのエネルギーの２５％以上である場合を検討すると、波長が６５０ｎｍ以下に対する第１の基本ディスク４の情報表面４ｂの反射率は２５％以上になる。これは半反射層６ａの透過率が７５％以下であることを示している。これを補償するため、半透明層１２の反射率は４５％以上にする必要がある。それ故、読み取りのため第２の情報表面７ａの上に集中するレーザビーム５ｃは第１の実施態様より低いエネルギーの半透明層１２を通過する一部であり、第２の基本ディスクＤ２の反射金属層９により反射されるレーザビームが戻ることに関する妨害が更に小さくなる。
【００２０】
図６には半反射層６ａと半透明層１２の２つの特性曲線を示している。
【００２１】
図７は図５の光ディスクを製造するための製造段階を示す基準図である。２つの平行のラインは基本ディスクＤ１とＤ２を製造するためのものである。基本ディスクＤ１の製造は図４に対し記載した過程と同じである。基本ディスクＤ２を製造するため、透明な基板は金型を通して押され、それぞれＤＶＤとＣＤの標準に基づく２つの情報表面が作られる。半透明層は次にＤＶＤ情報表面の上に、又反射金属層はＣＤ情報表面の上に堆積される。該反射層は次に保護層で覆われる。この様に製造された基本ディスクＤ１とＤ２は透明な接着層と共に接着され、ＤＶＤ標準に基づき製造された情報表面は面同士が接着される。光ディスクはこの様に２つのＤＶＤ情報層と１つのＣＤ情報層を含み製造され、これによりディスクの記憶容量が増加する。
【００２２】
半反射層６ａと半透明層１２はポリジアセチレン又はコレステリックポリマー（例えば薄い層を堆積）の様な材料を使用して作られ、該層の間隔を適応させ光の波長の関数である反射及び透過特性を変化する。
【００２３】
本発明の特徴により、ＣＤディスクとＤＶＤディスクを製造するための既存のハードウェアは、ＣＤコンパチブルＤＶＤ読み取り装置を製造することなくＣＤ読み取り装置に関する様にＤＶＤ読み取り装置に関して等しく互換性がある光ディスクを低価格で製造に使用することができる。この新規なタイプのディスクにより、ＣＤディスクとＤＶＤディスクの間の互換性に関する消費者の実用的な関心を解消することができ、更に例えば次の様にディスクに対する新しい市場を作ることができる。すなわち、ＣＤ情報表面にステレオで記録され、ＤＶＤ情報表面にデジタルサラウンドドルビー（Ｄｉｇｉｔａｌ  Ｓｕｒｒｏｕｎｄ  Ｄｏｌｂｙ）ＡＣ−３で記録された映画背景音楽即ちコンサート、ＣＤ情報表面への音声アルバムとＤＶＤ情報表面への関連映像の一部、ＤＶＤ情報表面への歌手の歌とＣＤ情報表面へのそれらの２０の良く知られた曲、ＤＶＤ情報表面への映画とＣＤ情報表面へのオリジナルなトラック又は映画からの抜粋曲、等が挙げられる。
【図面の簡単な説明】
【００２４】
【図１】本発明に基づく光ディスクの斜視図である。
【図２】本発明の第１の実施態様に基づく図１の光ディスクの断面の詳細図である。
【図３】本発明に基づく半反射層の特性曲線である。
【図４】図２の実施態様に基づくディスクの製造に関する該略図である。
【図５】本発明の第２の実施態様に基づく図１の光ディスクの断面の詳細図である。
【図６】本発明に基づく半反射層と半透明層の２つの特性曲線である。
【図７】図５の実施態様に基づくディスクの製造に関する該略図である。
【符号の説明】
【００２５】
３  接着層
４、７  基板
４ａ  上側の面
４ｂ、７ａ、７ｂ  情報表面
５ａ、５ｂ、５ｃ  レーザビーム
６、８、１１  表面マイクロ変化
６ａ  半反射層
９  反射層
１０  保護層
１０ａ  外側の面
１２  半透明層
Ｄ１  第１の基本ディスク
Ｄ２  第２の基本ディスク
【図１】
2008059750.tif 000003
【図２】
2008059750.tif 000004
【図３】
2008059750.tif 000005
【図４】
2008059750.tif 000006
【図５】
2008059750.tif 000007
【図６】
2008059750.tif 000008
【図７】
2008059750.tif 000009